(57)【要約】【課題】数多くのナット緩み止めの技術は確実にナットの弛緩防止機能を果たすことができるものであるが、ボルトにナットを一体化する螺合初動操作が複雑で各種の事前付加操作をしておかねばならず各種の部材組立て作業の煩雑化を招き容易に採用されにくい課題があった。【解決手段】上ナット本体と下ナット本体の組合せによりボルト本体に螺合する六角ナットを構成し、六角ナットは上下ナット本体に内蔵した緩み止め機構を介してボルト本体から弛緩しないように構成した緩み止めボルト、ナット構造において、緩み止め機構は上下ナット本体の内部に設けたラチェット機構により構成した緩み止めボルト、ナット構造を構築してなることとした。【選択図】図４
2020034017.tif 000002
【特許請求の範囲】
【請求項１】
上ナット本体と下ナット本体の組合せによりボルト本体に螺合する六角ナットを構成し、六角ナットは上下ナット本体に内蔵した緩み止め機構を介してボルト本体から弛緩しないように構成した緩み止めボルト、ナット構造において、
緩み止め機構は上下ナット本体の内部に設けた以下の構造よりなることを特徴とする緩み止めボルト、ナット構造。
ａ  外周面を六角面の筒状に形成した下ナット本体の筒状内側には雌ネジを形成し、
ｂ  下ナット本体の天端中央にピン孔を設けると共に、天端にラチェット保持筒体を一体に載置することにより下ナット本体の筒状内部とラチェット保持筒体の筒状内部とを連通し、
ｃ  ラチェット保持筒体内部から下ナット本体の筒状内部にわたって押し下げ付勢した係合ピンを挿入し、
ｄ  係合ピンの下端部は押し下げ付勢により螺合ボルト先端面と係合自在に構成すると共に、上端部には環状ギアを設け、
ｅ  ラチェット保持筒体の外周鍔部には複数の係合凹部を等間隔に形成することにより複数の係合鍔体を突設し、
ｆ  複数の係合鍔体の上面にはそれぞれ環状ギアと噛合可能なラチェット歯体を枢支して係合鍔体上にラチェット機構を構成し、
ｇ  下ナット本体を被覆する上ナット本体は外周面を六角面に形成し、
ｈ  上ナット本体の底板には係合鍔体を有するラチェット保持筒体の外形と略同形の遊嵌用孔部を形成すると共に、上ナット本体の底板は下ナット本体への被覆状態でラチェット保持筒体の係合鍔体と下ナット本体の天端との間を回転摺動自在に構成し、
ｉ  上ナット本体の底板は、下ナット本体の天端に設けた上ナット本体底板付勢用の環状スプリングを介して、ラチェット保持筒体の係合鍔体と下ナット本体の天端との間の所定位置でラチェット機構の作動停止状態を生起するように構成し、下ナット本体がボルト本体から弛緩することを防止できるように構成した。
【請求項２】
係合ピンは有底筒状に形成し、筒体内部はバネ挿入孔を形成しその内部には押圧バネを収納して上ナット本体の天面中央部に垂設した押し下げ部により係合ピンの押し下げ付勢するように構成したことを特徴とする請求項１に記載の緩み止めボルト、ナット構造。
【請求項３】
下ナット本体の天端にラチェット保持筒体の外周面に沿った環状溝部を形成し、環状溝部に環状スプリングを遊嵌し、環状スプリングの中途部は下方に迂回した係止凸バネとし、環状スプリングの一部を切欠して切欠部一端には縦方向に立上げた上ナット本体の底板受けバネとし、切欠部他端は外向き上方付勢の係止バネとしたことを特徴とする請求項１又は請求項２に記載の緩み止めボルト、ナット構造。
【請求項４】
係合ピンは内外の二重ピンに構成し、内側の係合ピンは下端部に螺合ボルト先端面と係合自在に構成し、外側の係合ピンはパイプ状として内側の係合ピンを挿入し上端部に環状ギアを設けて構成したことを特徴とする請求項１〜３のいずれか１項に記載の緩み止めボルト、ナット構造。
【請求項５】
六角ナットのボルト本体への螺合締付け状態では、環状スプリングの付勢により上ナット本体は下ナット本体から所定の回転角度だけずれた状態とすると共に、上ナット本体の天端から垂設したラチェット歯体係合ピンとラチェット歯体側面とは非接触状態において係合ピンの環状ギアとラチェット歯体を係合し、係合ピンを介してラチェット保持筒体と一体の下ナット本体の弛緩回転を阻止し、
他方、かかる弛緩回転阻止状態を解除して六角ナットをボルト本体から弛緩するに際しては、上ナット本体を回転させて上ナット本体の六角面と下ナット本体の六角面とを符合状態としてラチェット歯体係合ピンをラチェット歯体側面に当接して係合ピンの環状ギアをラチェット歯体から解除して係合ピンを介してラチェット保持筒体と一体の下ナット本体を弛緩方向への回転可能とすることを特徴とする請求項３又は請求項４に記載の緩み止めボルト、ナット構造。
【発明の詳細な説明】
【技術分野】
【０００１】
この発明は、ボルトに螺合したネジの緩み止め機能を有すると共に、緩み止めのためのナットの螺合操作を通常の螺合操作で行える緩み止めボルト、ナット構造に関する。
【背景技術】
【０００２】
従来、ボルトに螺合したナットは振動や経年変化で徐々に弛緩してボルトから離脱したり締め込み応力が減殺されてボルト、ナットによる連結構造が崩壊して思わぬ事故を招来する。
【０００３】
そこで、古来ナットの緩みを防止するための各種の技術が提供されてきた。例えば、特許文献１には、ボルトに螺合する上下ナットの接続部をボルト螺合孔に偏心する雌雄ネジ構造に構成し、上下ナット螺着状態で上下のボルト螺合孔の軸線をずらしてボルトを上下ナットにより上下挟持する技術が開示されている。
【０００４】
また、特許文献２には、被締結物とナットとの間に介在させるワッシャを被締結物表面に固着し、ボルトにナットを取り付けた状態でナットの六角面に当接係合する断面視コ字状片をナットに外嵌すると共にコ字状片両端をワッシャに固定する技術が開示されている。
【先行技術文献】
【特許文献】
【０００５】
【特許文献１】特開２０１８−４０４９５号公報
【特許文献２】特開２０１７−８９７６２号公報
【発明の概要】
【発明が解決しようとする課題】
【０００６】
しかし、数多くのこれらのナット緩み止めの技術は確実にナットの弛緩防止機能を果たすことができるものであるが、ボルトにナットを一体化する螺合初動操作が複雑で各種の事前付加操作をしておかねばならず各種の部材組立て作業の煩雑化を招き容易に採用されにくい課題があった。
【課題を解決するための手段】
【０００７】
この発明は、上ナット本体と下ナット本体の組合せによりボルト本体に螺合する六角ナットを構成し、六角ナットは上下ナット本体に内蔵した緩み止め機構を介してボルト本体から弛緩しないように構成した緩み止めボルト、ナット構造において、緩み止め機構は上下ナット本体の内部に設けた以下の構造よりなることを特徴とする緩み止めボルト、ナット構造を提供せんとするものである。
【０００８】
すなわち、
ａ  外周面を六角面の筒状に形成した下ナット本体の筒状内側には雌ネジを形成し、
ｂ  下ナット本体の天端中央にピン孔を設けると共に、天端にラチェット保持筒体を一体に載置することにより下ナット本体の筒状内部とラチェット保持筒体の筒状内部とを連通し、
ｃ  ラチェット保持筒体内部から下ナット本体の筒状内部にわたって押し下げ付勢した係合ピンを挿入し、
ｄ  係合ピンの下端部は押し下げ付勢により螺合ボルト先端面と係合自在に構成すると共に、上端部には環状ギアを設け、
ｅ  ラチェット保持筒体の外周鍔部には複数の係合凹部を等間隔に形成することにより複数の係合鍔体を突設し、
ｆ  複数の係合鍔体の上面にはそれぞれ環状ギアと噛合可能なラチェット歯体を枢支して係合鍔体上にラチェット機構を構成し、
ｇ  下ナット本体を被覆する上ナット本体は外周面を六角面に形成し、
ｈ  上ナット本体の底板には係合鍔体を有するラチェット保持筒体の外形と略同形の遊嵌用孔部を形成すると共に、上ナット本体の底板は下ナット本体への被覆状態でラチェット保持筒体の係合鍔体と下ナット本体の天端との間を回転摺動自在に構成し、
i  上ナット本体の底板は、下ナット本体の天端に設けた上ナット本体底板付勢用の環状スプリングを介して、ラチェット保持筒体の係合鍔体と下ナット本体の天端との間の所定位置でラチェット機構の作動停止状態を生起するように構成し、下ナット本体がボルト本体から弛緩することを防止できるように構成した。
【０００９】
また、係合ピンは有底筒状に形成し、筒体内部はバネ挿入孔を形成しその内部には押圧バネを収納して上ナット本体の天面中央部に垂設した押し下げ部により係合ピンの押し下げ付勢するように構成したことを特徴とする。
【００１０】
また、環状スプリングの中途部は下方に迂回した係止凸バネとし、環状スプリングの一部を切欠して切欠部一端には縦方向に立上げた上ナット本体の底板受けバネとし、切欠部他端は外向きの係止バネとしたことを特徴とする。
【００１１】
また、係合ピンは内外の二重ピンに構成し、内側の係合ピンは下端部に螺合ボルト先端面と係合自在に構成し、外側の係合ピンはパイプ状として内側の係合ピンを挿入し上端部に環状ギアを設けて構成したことを特徴とする。
【００１２】
また、係合ピンは内外の二重ピンに構成し、内側の係合ピンは下端部に螺合ボルト先端面と係合自在に構成し、外側の係合ピンはパイプ状として内側の係合ピンを挿入し上端部に環状ギアを設けて構成したことを特徴とする。
【００１３】
また、六角ナットのボルト本体への螺合締付け状態では、環状スプリングの付勢により上ナット本体は下ナット本体から所定の回転角度だけずれた状態とすると共に、上ナット本体の天端から垂設したラチェット歯体係合ピンとラチェット歯体側面とは非接触状態において係合ピンの環状ギアとラチェット歯体を係合し、係合ピンを介してラチェット保持筒体と一体の下ナット本体の弛緩回転を阻止し、他方、かかる弛緩回転阻止状態を解除して六角ナットをボルト本体から弛緩するに際しては、上ナット本体を回転することにより上ナット本体の六角面と下ナット本体の六角面とを符合させラチェット歯体係合ピンをラチェット歯体側面に当接して係合ピンの環状ギアをラチェット歯体から解除して係合ピンを介してラチェット保持筒体と一体の下ナット本体を弛緩方向への回転可能とすることを特徴とする。
【発明の効果】
【００１４】
この発明によれば、上ナット本体と下ナット本体の組合せによりボルト本体に螺合する六角ナットを構成し、六角ナットは上下ナット本体に内蔵した緩み止め機構を介してボルト本体から弛緩しないように構成し、しかも、緩み止め機構は上下ナット本体の内部に設けたラチェット機構を中心として構成したことにより、上下ナット本体の締め込みの極限位置から六角ナットが弛緩することを防止できる効果がある。
【００１５】
すなわち、ボルト本体に螺合した六角ナットは必要個所で極限まで締付けて螺合が完成するものであるが、この状態で六角ナットが弛緩することを防止するために六角ナットを必要個所で極限まで螺合締付ける過程において、下ナット本体に連動連結した係合ピン上端部の環状ギアがラチェット機構と一方向に自由に回転して六角ナットの螺合締付け作動が円滑に行われる。
【００１６】
その後、六角ナットを極限まで締付け螺合し六角ナットの螺合回転を終了すると下ナット本体に連動連結した係合ピン上端部の環状ギアはラチェット機構に係合して逆方向への回転が阻止されて自由に回転しない状態となる。
【００１７】
しかも、逆方向への回転が阻止された状態、すなわち、ラチェット機構に上端環状ギアを介して噛み合った状態では係合ピンは下端において螺合ボルト先端面の溝と一体に係合されているので係合ピンと一体連結された六角ナットはこの状態で機構的に弛緩することができない効果がある。
【００１８】
特に、環状溝部に遊嵌した環状スプリングの中途部は下方に迂回した係止凸バネとし、環状スプリングの一部を切欠して切欠部一端には縦方向に立上げた上ナット本体の底板受けバネとし、切欠部他端は外向き上方付勢の係止バネとしているので、下ナット本体に対する上ナット本体の押圧嵌着作動により強制的に上方付勢の係止バネが押圧されそのまま上ナット本体を軸中心に約30°回転すると上ナット本体の下方付勢が無くなるために上方付勢の係止バネは跳ね上がり上ナット本体底板の遊嵌用孔部に係合し、同時に環状スプリングの切欠部一端に立ち上げた上ナット本体の底板受けバネは他方の遊嵌用孔部に係合する。
【００１９】
従って、上ナット本体は上方付勢の係止バネと切欠部一端に立ち上げた上ナット本体の底板受けバネとにより左右の回転を阻止されて下ナット本体のラチェット機構下方において下ナット本体のラチェット保持筒体の係合鍔体と上ナット本体の遊嵌用孔部で形成された遊嵌用凸部とが重複する。
【００２０】
これで上下ナット本体は一体に固定されてナットのロック状態が形成される。かかる状態では各上下ナット本体は図面上約30°ずれている。
【００２１】
このように本発明によれば、六角ナットをボルト本体に螺合する操作はラチェット機構の一方向回動によって容易に遂行することができるに対して、螺合操作が終端の締め付け終端位置に来るとラチェット機構の逆方向回動不能状態となり六角ナットはボルト本体から弛緩不能となって六角ナットの弛緩防止効果を果たすことができる。
【００２２】
他方、六角ナットを弛緩しボルト本体から離脱する時にはレンチ等の治具を利用して上ナット本体の約30°ずれた分を元に戻してレンチ等の治具によって下ナット本体と共に回すとラチェット歯体係合ピンはラチェット歯体の解除方向にまわりラチェット歯体の噛合を解除することができる。このようにラチェット歯体係合ピンは上下ナット本体をロックした後の解除操作時に作用する。
【図面の簡単な説明】
【００２３】
【図１】本発明に係る六角ナットの構成を示す分解斜視図である。
【図２】本発明に係る六角ナットにおける上ナット本体と下ナット本体の分離状態を示す外観斜視図である。
【図３】本発明に係る六角ナットの構成を示す平面図である。
【図４】本発明に係る六角ナットの構成を示すＤ−Ｄ断面図である。
【図５】本発明に係る下ナット本体の構成を示す外観斜視図及び平面図である。
【図６】本発明に係る係合ピンの構成を示す外観斜視図及び平面図である。
【図７】本発明に係るラチェット歯体の構成を示す外観斜視図及び平面図である。
【図８】本発明に係る上ナット本体の構成を示す外観斜視図及び底面図である。
【図９】本発明に係る環状スプリングの構成を示す外観斜視図及び平面図である。
【図１０】本発明に係る環状スプリングの作動態様を示す模式的平面図である。
【図１１】本発明に係る緩み止め機能の作動態様を示す模式的平面図である。
【発明を実施するための形態】
【００２４】
この発明の要旨は、上ナット本体と下ナット本体の組合せによりボルト本体に螺合する六角ナットを構成し、六角ナットは上下ナット本体に内蔵した緩み止め機構を介してボルト本体から弛緩しないように構成した緩み止めボルト、ナット構造において、緩み止め機構は上下ナット本体の内部に設けた以下の構造よりなることを特徴とする緩み止めボルト、ナット構造であり、
ａ  外周面を六角面の筒状に形成した下ナット本体の筒状内側には雌ネジを形成し、
ｂ  下ナット本体の天端中央にピン孔を設けると共に、天端にラチェット保持筒体を一体に載置することにより下ナット本体の筒状内部とラチェット保持筒体の筒状内部とを連通し、
ｃ  ラチェット保持筒体内部から下ナット本体の筒状内部にわたって押し下げ付勢した係合ピンを挿入し、
ｄ  係合ピンの下端部は押し下げ付勢により螺合ボルト先端面と係合自在に構成すると共に、上端部には環状ギアを設け、
ｅ  ラチェット保持筒体の外周鍔部には複数の係合凹部を等間隔に形成することにより複数の係合鍔体を突設し、
ｆ  複数の係合鍔体の上面にはそれぞれ環状ギアと噛合可能なラチェット歯体を枢支して係合鍔体上にラチェット機構を構成し、
ｇ  下ナット本体を被覆可能に形成した上ナット本体は外周面を六角面に形成し、
ｈ  上ナット本体の底板には係合鍔体を有するラチェット保持筒体の外形と略同形の遊嵌用孔部を形成すると共に、上ナット本体の底板は下ナット本体への被覆状態でラチェット保持筒体の係合鍔体と下ナット本体の天端との間を回転摺動自在に構成し、
ｉ  上ナット本体の底板は、下ナット本体の天端に設けた上ナット本体底板付勢用の環状スプリングを介して、ラチェット保持筒体の係合鍔体と下ナット本体の天端との間の所定位置でラチェット機構の作動停止状態を生起するように構成し、下ナット本体がボルト本体から弛緩することを防止できるように構成した。
【００２５】
また、係合ピンは有底筒状に形成し、筒体内部はバネ挿入孔を形成しその内部には押圧バネを収納して上ナット本体の中央部に垂設した押し下げ部により係合ピンの押し下げ付勢するように構成したことにある。
【００２６】
また、下ナット本体の天端にラチェット保持筒体の外周面に沿った環状溝部を形成し、環状溝部に下ナット本体の六角周面と符合するように上ナット本体の底板付勢用の環状スプリングを遊嵌し、環状スプリングの中途部は下方に迂回した係止凸バネとし、環状スプリングの一部を切欠して切欠部一端には縦方向に立上げた上ナット本体の底板受けバネとし、切欠部他端は外向きの係止バネとしたことにある。
【００２７】
また、係合ピンは内外の二重ピンに構成し、内側の係合ピンは下端部に螺合ボルト先端面と係合自在に構成し、外側の係合ピンはパイプ状として内側の係合ピンを挿入し上端部に環状ギアを設けて構成したことにある。
【００２８】
また、六角ナットのボルト本体への螺合締付け状態では、環状スプリングの付勢により上ナット本体は下ナット本体から所定の回転角度だけずれた状態とすると共に、上ナット本体の天端から垂設したラチェット歯体係合ピンとラチェット歯体側面とは非接触状態で係合ピンの環状ギアをラチェット歯体に係合した状態とし係合ピンを介してラチェット保持筒体と一体の下ナット本体が弛緩方向へのロックをされた状態とし、他方、かかるロックを解除して六角ナットをボルト本体から弛緩するに際しては、上ナット本体を回転させて上ナット本体の六角面と下ナット本体の六角面とを符合状態としてラチェット歯体係合ピンをラチェット歯体側面に当接して係合ピンの環状ギアをラチェット歯体から解除して係合ピンを介してラチェット保持筒体と一体の下ナット本体を弛緩方向への回転を可能とすることにある。
【００２９】
ここで、本発明では上ナット本体と下ナット本体とを組合せることにより六角ナットを構成しているが、緩み止め機構を備えていれば六角ナット以外に、例えば四角ナットや八角ナット、十二角ナットであってもよいことは勿論である。
【００３０】
すなわち、本発明にかかる「六角ナット」とは、最も多用されるナットの一例として挙げたものであり、上ナット本体と下ナット本体との組み合わせにより内部に緩み止め機構を備えた多角ナットを意図する。
【００３１】
また、本発明にかかる六角ナットやボルト本体は、緩み止め機構を備えていれば、サイズや材質について特に限定されることはなく、また、左ネジ式又は右ネジ式のいずれであってもよい。
【００３２】
以下、この発明の実施例について図面に従い詳細に説明する。図１は本発明に係る緩み止めボルト、ナット構造の分解斜視図、図２は六角ナットの構成を示す分解斜視図、図３は六角ナットの構成を示す平面図、図４は六角ナットの構成を示すＤ−Ｄ断面図、図５は下ナット本体の構成を示す外観斜視図及び平面図、図６は係合ピンの構成を示す外観斜視図及び平面図、図７はラチェット歯体の構成を示す外観斜視図及び平面図、図８は上ナット本体の構成を示す外観斜視図及び底面図、図９は環状スプリングの構成を示す外観斜視図及び平面図、図１０は環状スプリングの作動態様を示す模式的平面図、図１１は緩み止め機能の作動態様を示す模式的平面図である。
【００３３】
本実施例に係る緩み止めボルト、ナット構造は、図１及び図２に示すように上ナット本体１０と下ナット本体２０の組合せにより、ボルト本体Ｂに螺合する六角ナットＡを構成し、六角ナットＡは上下ナット本体１０、２０に内蔵した緩み止め機構を介してボルト本体Ｂから弛緩しないように構成している。
【００３４】
ボルト本体Ｂは、図１に示すように外周に雄ネジ７０を形成すると共に螺合ボルト先端面７１に係合横溝７２を形成している。
【００３５】
係合横溝７２は、後述する係合ピン先端が嵌着係合する溝で、ボルト本体Ｂの先端面７１においてボルト本体Ｂの直径に沿った凹状溝に形成している。
【００３６】
下ナット本体２０は、図２〜図４に示すように筒状であって外周面を六角面２１に形成すると共に筒状内側にボルト本体Ｂの雄ネジ７０に螺合する雌ネジ２２を形成している。
【００３７】
また、上ナット本体１０は、図１、図２及び図５に示すように下ナット本体２０の外径と同じ外径とし、外周面を六角面１１に形成すると共に下ナット本体２０の上方を被覆可能な蓋状に形成している。
【００３８】
すなわち、六角ナットＡは、蓋部分に相当する上ナット本体１０と、ナット機能部分に相当する下ナット本体２０とを、同軸心上に配置して組み合わせたキャップ型ナットに構成している。
【００３９】
このような構成の上下ナット本体１０、２０は、図３に示すうようにボルト本体Ｂに作用して六角ナットＡとボルト本体Ｂとの不用意な弛緩を防止するための緩み止め機構を内蔵している。
【００４０】
基本的には緩み止め機構は、上下ナット本体１０、２０の間に介設したラチェット機構により実現するものであり、下ナット本体２０上に一体に設けたラチェット保持筒体３０上のラチェット歯体４０と、係合ピン５０頭部の環状ギア５１とで構成している。
【００４１】
環状ギア５１は、ラチェット保持筒体３０内部から下ナット本体２０の筒状内部にわたって押し下げ付勢した係合ピン５０の頭部に一体に設けており、ラチェット歯体４０と噛合可能に構成している。
【００４２】
下ナット本体２０の天端中央には、図５に示すように係合ピン５０を挿入するためのピン孔２３が設けられている。
【００４３】
また、下ナット本体２０の天端には、ラチェット保持筒体３０を一体に載置することにより下ナット本体２０の筒状内部とラチェット保持筒体３０の筒状内部とを連通している。
【００４４】
具体的には、下ナット本体２０の上部開口内縁には、図４に示すように開口径を縮径する略ドーナツ状天端２４を形成しており、略ドーナツ状天端２４の内側開口を係合ピン５０を挿入するためのピン孔２３としている。
【００４５】
かかる略ドーナツ状天端２４は、下ナット本体２０に螺着したボルト本体Ｂの螺合ボルト先端面７１周縁部と面対向してボルト本体Ｂの螺進を規制する規制部として機能すると共に係合ピン５０を載置支持する支持段部として機能する。
【００４６】
すなわち、略ドーナツ状天端２４の内周縁部は、図４に示すように内方にせり出して係合ピン５０を載置支持するための支持段部２４ａとなる。
【００４７】
支持段部２４ａは、ラチェット保持筒体３０を一体載置した場合にラチェット保持筒体３０の下部開口の内側にせり出して形成される。
【００４８】
ラチェット保持筒体３０は、図４及び図５に示すように外径を下ナット本体２０の外径よりも縮径して形成しており、筒軸を下ナット本体２０の筒軸と同一軸心上に配置している。
【００４９】
また、ラチェット保持筒体３０の筒孔は、係合ピン５０を構成する外側係合ピン５３を挿入可能とすべく下ナット本体２０のピン孔２３の直径よりもやや拡径した外側係合ピン孔３１としている。
【００５０】
換言すれば、ドーナツ状天端２４のピン孔２３は、係合ピン５０における内側係合ピン５２を下ナット本体２０内へ挿通するための孔であり、内側係合ピン５２の胴部外径と略同じ直径となるように形成している。
【００５１】
すなわち、外側係合ピン孔３１は、図４及び図５に示すように下ナット本体２０の内部と略ドーナツ状天端２４のピン孔２３を介して連通する。
【００５２】
このように互いに連通したピン孔２３と外側係合ピン孔３１に対して、ラチェット保持筒体３０内部から下ナット本体２０の筒状内部にわたって押し下げ付勢した係合ピン５０が挿入される。
【００５３】
係合ピン５０は、図１及び図６に示すように有底筒状であって、筒体内部をバネ挿入孔５４とし、同バネ挿入孔５４に押圧バネ５５を収納して上ナット本体１０の天面中央部で垂設した押し下げ部１２により押し下げ付勢するように構成している。
【００５４】
また、係合ピン５０の下端部は押し下げ付勢により螺合ボルト先端面７１と係合自在に構成すると共に、上端部には環状ギア５１を設けている。
【００５５】
具体的には、係合ピン５０は、内側係合ピン５２と外側係合ピン５３との内外二重ピン構造に構成している。
【００５６】
内側係合ピン５２は、図４に示すように下端部で螺合ボルト先端面７１と係合自在に構成している。一方、外側係合ピン５３は、パイプ状として内側係合ピン５２を内嵌すると共に上端部に環状ギア５１を設けて構成している。
【００５７】
内側係合ピン５２の下端部は、図６に示すように螺合ボルト先端面７１の係合横溝７２に嵌着対応する係合突片５６を設けている。
【００５８】
係合突片５６は、所定厚みの扁平小板であって内側係合ピン５２の外底面から内側係合ピン５２の直径に沿うように下方に突出形成している。
【００５９】
また、内側係合ピン５２の上端には、ナット状頭部５２ａを形成している。ナット状頭部５２ａは、内側係合ピン５２の上部外周から外周面を六角面５２ｂに形成して外方突出して形成している。
【００６０】
一方、外側係合ピン５３は、筒体内部を内側係合ピン５２のナット状頭部５２ａと嵌着するピン内嵌孔５３ａとしている。ピン内嵌孔５３ａは、筒体内周面を内側係合ピン５２のナット状頭部５２ａの外周面に対応する六角面５３ｂに形成している。
【００６１】
かかる構成により内側係合ピン５２と外側係合ピン５３とは互いの嵌着状態において、内側係合ピン５２のナット状頭部５２ａと外側係合ピン５３の内周面とを係合して外側係合ピン５３内部での内側係合ピン５２の自由回転を規制する。
【００６２】
すなわち、外側係合ピン５３と内側係合ピン５２とは、図６（ｂ）に示すように回転方向については互いの六角周面５２ｂ，５３ｂを当接係合して一体回転する一方、鉛直方向については互いの六角周面５２ｂ，５３ｂに沿って上下摺動することを可能としている。
【００６３】
また、外側係合ピン５３頭部の環状ギア５１は、図６（ａ）及び図６（ｂ）に示すように外側係合ピン５３の上端部外周から複数のギア歯５１ａを周方向外方に向けて突出して形成している。
【００６４】
環状ギア５１は、外側係合ピン５３をラチェット保持筒体３０の外側係合ピン孔３１に遊嵌した場合に、図４に示すようにドーナツ状天端２４の支持段部２４ａに支持されて、外側係合ピン５３の胴部上端と共にラチェット保持筒体３０の上面より上方位置に露出する。
【００６５】
また、内側係合ピン５２は、ナット状頭部５２ａを形成しているため、外側係合ピン５３内で上下スライドした際には、ナット状頭部５２ａが支持段部２４ａに突き当たることで下方移動が規制される。
【００６６】
また、係合ピン５０とピン孔２３とは、互いに可及的緊密に接触するように形成して、シール性を向上させている。
【００６７】
具体的には、内側係合ピン５２は、上述のように胴部外径をドーナツ状天端２４のピン孔２３の直径と略同じに形成している。一方、外側係合ピン５３は、胴部外径をラチェット保持筒体３０の外側係合ピン孔３１の直径と略同じに形成している。
【００６８】
すなわち、上ナット本体１０と下ナット本体２０との隙間から六角ナットＡ内部に水が侵入したとしても、各ピン孔２３、３１と各係合ピン５２、５３とは、図４に示すように互いに緊密に接触するとともに互いの間に形成される隙間を紆余曲折した長尺経路とするように構成にしているために、その下方の下ナット本体２０の雌ネジ２２側内部空間へ水が到達することがない。
【００６９】
したがって、六角ナットＡの内部や六角ナットＡに螺合するボルト本体Ｂが錆びることなく六角ナットＡとボルト本体Ｂとの恒常的な螺合状態を可能とする。
【００７０】
また、ラチェット保持筒体３０の外周鍔部には、図１、図５（ａ）及び図５（ｂ）に示すように複数の係合凹部３２を等間隔に形成することにより複数の係合鍔体３３を突設している。
【００７１】
すなわち、ラチェット保持筒体３０の上部外周には、図５（ｂ）に示すように平面視略扇型の係合鍔体３３と、係合鍔体３３と略同形同大の係合凹部３２とが、周方向について３つずつそれぞれ交互に配置形成されている。
【００７２】
換言すれば、ラチェット保持筒体３０の外周鍔部は、周方向について交互に配設した係合鍔体３３と係合凹部３２とにより６等分して形成している。
【００７３】
また、ラチェット保持筒体３０の係合鍔体３３と係合凹部３２とは、平面視で六角ナットＡの六角面、すなわち下ナット本体２０の六角面２１位置に対応する位置に形成している。
【００７４】
具体的には、係合鍔体３３と係合凹部３２は、下ナット本体２０に一体載置したラチェット保持筒体３０おいて、図５（ｂ）に示すように平面視でそれぞれの幅方向中央から径方向外方に伸延する仮想中心線を下ナット本体２０の六角面２１の中心Ｃ１上に配置して筒軸心Ｃを中心に点対称となるように形成している。
【００７５】
かかる係合鍔体３３は、ラチェット歯体４０を枢支する基台として機能すると共に上ナット本体１０との嵌着係合を可能とする嵌着部として機能する。
【００７６】
すなわち、複数の係合鍔体３３の上面には、図２及び図４に示すように係合ピン５０の環状ギア５１と噛合可能なラチェット歯体４０を枢支して係合鍔体３３上にラチェット機構を構成している。
【００７７】
具体的には、ラチェット保持筒体３０内に遊嵌され上部露出した係合ピン５０の環状ギア５１を周方向に所定間隔を隔てて囲繞するように複数のラチェット歯体４０が係合鍔体３３上面に回転可能に枢支される。
【００７８】
なお、係合鍔体３３の上面中央部には、図５（ａ）に示すようにラチェット歯体４０を枢支するための枢軸孔３３ａを設けている。
【００７９】
ラチェット歯体４０は、図７（ａ）及び図７（ｂ）に示すように枢支軸４２ａを介して係合鍔体３３の上面に枢支される略円柱状の軸受４２と、環状ギア５１と噛合する爪本体４１と、爪本体４１を環状ギア５１に常時噛合方向へ付勢する付勢バネ４３と、後述する上ナット本体１０の天端に垂設したラチェット歯体係合ピン１３と係合する係合段部４４と、を備える。
【００８０】
爪本体４１は、所定長さの棒状突起であって、軸受４２の径方向から偏位した軸受４２の周壁中途位置から外方突出している。
【００８１】
すなわち、ラチェット歯体４０は、図２に示すように爪本体４１先端を環状ギア５１に対して下ナット本体２０の弛緩回動を規制する方向に向けて係合鍔体３３の上面に回転可能に枢支している。
【００８２】
付勢バネ４３は、棒状の弾性素材であって軸受４２の下部外周から径方向に沿って軸受４２と一体に外方突出しており、外側係合ピン５３の胴部外周に押接する。
【００８３】
すなわち、付勢バネ４３は、図１１（ａ）に示すように軸受４２を介して爪本体４１との間で外側係合ピン５３を挟持するように外側係合ピン５３の周面を押圧することにより、爪本体４１が環状ギア５１に常時噛合するように軸受４２を回動付勢している。
【００８４】
係合段部４４は、爪本体４１近傍の軸受４２の周壁の一部を外方突出する角状にして形成している。一方、上ナット本体１０の天端には、図２及び図８（ａ）に示すように周方向について所定間隔を隔ててラチェット歯体係合ピン１３を複数垂設している。
【００８５】
具体的には、ラチェット歯体係合ピン１３は、上ナット本体１０の天端において、図８（ｂ）に示すように平面視で後述する上ナット本体１０の底板の遊嵌用凹部１６位置に対応する位置、且つ、ラチェット保持筒体３０上面のラチェット歯体４０の軸位置を基準に周方向に約1/6長さ離れた位置に垂設している。
【００８６】
すなわち、ラチェット歯体４０は、図１１に示すように上ナット本体１０が回転するに伴い周方向に移動してきたラチェット歯体係合ピン１３と係合する係合段部４４を介して、付勢バネ４３に抗した爪本体４１の環状ギア５１からの離反方向への回転変位を行うように構成している。
【００８７】
また、上ナット本体１０の底板には、図２及び図８に示すように係合鍔体３３を有するラチェット保持筒体３０の外形と略同形の遊嵌用孔部１４を形成している。
【００８８】
また、上ナット本体１０の底板は下ナット本体２０への被覆状態でラチェット保持筒体３０の係合鍔体３３と下ナット本体２０の天端との間を回転摺動自在に構成している。
【００８９】
すなわち、遊嵌用孔部１４は、図８（ｂ）に示すように上ナット本体１０の下端開口周縁で、ラチェット保持筒体３０の係合凹部３２に対応する略扇形状の遊嵌用凸部１５と、ラチェット保持筒体３０の係合鍔体３３に対応する遊嵌用凹部１６とを、周方向についてそれぞれ３つずつ交互に配置形成することにより、形成している。
【００９０】
また、遊嵌用凸部１５と遊嵌用凹部１６とは、図８（ｂ）に示すように平面視において六角ナットＡの六角面によりなす角部、すなわち上ナット本体１０の六角面１１によりなす六角頂部１１ａ位置に対応する位置に形成している。
【００９１】
具体的には、遊嵌用凸部１５と遊嵌用凹部１６は、上ナット本体１０において、図８（ｂ）に示すように平面視でそれぞれの幅方向中央から径方向外方に伸延する仮想中心線Ｃ２を上ナット本体１０の六角面１１同士によりなす六角頂部１１ａ上に配置して筒軸心Ｃを中心に点対称となるように形成している。
【００９２】
すなわち、下ナット本体２０と一体のラチェット保持筒体３０の係合鍔体３３と、上ナット本体１０の遊嵌用凸部１５とは、六角ナットＡの径方向について、互いの突出方向を外内逆方向にすると共にそれぞれの六角面１１、２１を基準に互いに30度ずれた位置に形成している。
【００９３】
このような構成により、上ナット本体１０下面の遊嵌用孔部１４に下ナット本体２０上面のラチェット保持筒体３０を嵌着して下ナット本体２０を上ナット本体１０で被覆した状態、すなわち六角ナットＡを組み上げ形成可能としている。
【００９４】
また、六角ナットＡの筒軸方向において、上ナット本体１０の遊嵌用凸部１５は、ラチェット保持筒体３０の係合鍔体３３の下方位置且つ下ナット本体２０の天端の上方位置に配設される。
【００９５】
また、上ナット本体１０の遊嵌用凸部１５は、その内側面をラチェット保持筒体３０の胴部の外周側面に面対向している。
【００９６】
すなわち、上ナット本体１０は、図４に示すようにラチェット保持筒体３０の係合鍔体３３下面と略ドーナツ状天端２４上面との間に配置した遊嵌用凸部１５を介して、下ナット本体２０のラチェット保持筒体３０の胴部外周に沿って回転可能に下ナット本体２０に遊嵌される。
【００９７】
換言すれば、六角ナットＡにおける上ナット本体１０と下ナット本体２０とは、遊嵌用凸部１５とラチェット保持筒体３０を介して互いに相対回転可能に構成している。
【００９８】
かかる構成により、図１１（ａ）に示すように平面視において、上ナット本体１０の六角面１１と下ナット本体２０の六角面２１との各面を周方向に互いにずらした状態、すなわち非符合状態とした場合には、その内部の上ナット本体１０の遊嵌用凸部１５とラチェット保持筒体３０の係合鍔体３３とは軸方向に沿って互いに上下重なり合う符合状態となる。
【００９９】
一方で、図１１（ｂ）に示すように外観上で上ナット本体１０の六角面１１と下ナット本体２０の六角面２１との各面を面一状態、すなわち符合状態とした場合には、その内部の上ナット本体１０の遊嵌用凸部１５とラチェット保持筒体３０の係合鍔体３３とは周方向に互いにずれた非符合状態となる。
【０１００】
また、上ナット本体１０の底板は、図２及び図４に示すように下ナット本体２０の天端に設けた上ナット本体底板付勢用の環状スプリング６０を介して、ラチェット保持筒体３０の係合鍔体３３と下ナット本体２０の天端との間の所定位置でラチェット機構の作動停止状態を生起するように下ナット本体２０がボルト本体Ｂから弛緩することを防止可能に構成している。
【０１０１】
すなわち、下ナット本体２０の天端２４には、図２、図５（ａ）及び図５（ｂ）に示すようにラチェット保持筒体３０の外周面に沿った環状溝部２５を形成しており、同環状溝部２５に下ナット本体２０の六角周面２１と符合するように上ナット本体１０の底板付勢用の環状スプリング６０を遊嵌している。
【０１０２】
環状スプリング６０は、図１、図９（ａ）及び図９（ｂ）に示すように環状の一部を切り欠いた切欠部６１を形成し、中途部を下方に迂回折曲形成した係止凸バネ６２と、切欠部６１の一端を縦方向に立上げ形成した上ナット本体１０の底板受けバネ６３とし、他端を外向きに傾斜立ち上げ形成した係止バネ６４として構成している。
【０１０３】
また、下ナット本体２０の環状溝部２５の底面の所定位置には、図５（ａ）及び図５（ｂ）に示すように係止凸バネ６２を挿入するためのバネ係合孔２５ａを形成している。
【０１０４】
すなわち、環状スプリング６０は、図１０（ａ）及び図１０（ｂ）に示すようにバネ係合孔２５ａに挿入係合した係止凸バネ６２を介して下ナット本体２０の環状溝部２５に装着すると共に上ナット本体１０の底板の下方位置に敷設している。
【０１０５】
また、環状スプリング６０の切欠部６１は、図９（ｂ）及び図１０（ｂ）に示すように仮想円弧線の長さを上ナット本体１０の遊嵌用凸部１５の仮想円弧長さＬと略同じ長さ、すなわち環状スプリング６０の仮想円周線の1/6長さ分切欠いて形成している。
【０１０６】
すなわち、環状スプリング６０は、周方向について環状スプリング６０両端の係止バネ６４と上ナット本体１０の底板受けバネ６３との間に上ナット本体１０の遊嵌用凸部１５を介在可能に形成している。
【０１０７】
なお、環状スプリング６０は、切欠部６１を下ナット本体２０に一体載置したラチェット保持筒体３０の複数のうち１つの係合鍔体３３を配置するように環状溝部２５に遊嵌している。
【０１０８】
上ナット本体１０の底板受けバネ６３は、環状スプリング６０の切欠部６１に配置した上ナット本体１０の遊嵌用凸部１５の一側壁に当接して環状スプリング６０の弾性応力を上ナット本体１０に伝達する。
【０１０９】
上述のように緩み止めボルト、ナット構造を構成した六角ナットＡとボルト本体Ｂとは、以下のようにしてボルト、ナットの緩み止め機能を果たす。
【０１１０】
ボルト本体Ｂに螺合した六角ナットＡは必要個所で極限まで締付けて螺合が完成するものであるが、この状態で六角ナットＡが弛緩することを防止するために六角ナットＡを必要個所で極限まで螺合締付ける。
【０１１１】
この螺合締付過程において、下ナット本体２０に連動連結した係合ピン５０上端部の環状ギア５１がラチェット機構により一方向に自由に回転して六角ナットＡの螺合締付け作動が円滑に行われる。
【０１１２】
その後、六角ナットＡを極限まで締付け螺合し六角ナットＡの螺合回転を終了すると下ナット本体２０に連動連結した係合ピン５０上端部の環状ギア５１はラチェット機構で係合して逆方向への回転が阻止されて自由に回転しない状態となる。
【０１１３】
しかも、逆方向への回転が阻止された状態、すなわち、ラチェット機構に上端環状ギア５１を介して噛み合った状態では、図４に示したように係合ピン５０は下端において螺合ボルト先端面の係合横溝７２と一体に係合しているので、係合ピン５０と一体連結された六角ナットＡはこの状態で機構的に弛緩することができない効果がある。
【０１１４】
特に、環状溝部２５に遊嵌した環状スプリング６０の中途部は下方に迂回した係止凸バネ６２とし、環状スプリング６０の一部を切欠して切欠部一端には縦方向に立上げた上ナット本体１０の底板受けバネ６３とし、切欠部他端は外向き上方付勢の係止バネ６４としているので、下ナット本体２０に対する上ナット本体１０の押圧嵌着作動により強制的に係止バネ６４が押圧され、そのまま上ナット本体１０を約30°回転すると上ナット本体１０の下方付勢が無くなるために係止バネ６４は跳ね上がり上ナット本体１０底板の遊嵌用孔部１４（遊嵌用凸部１５）に係合し、同時に環状スプリング６０の切欠部一端に立ち上げた上ナット本体１０の底板受けバネ６３は他方の遊嵌用孔部１４（遊嵌用凸部１５）に係合する。
【０１１５】
従って、上ナット本体１０は、図１０（ａ）に示すように上方付勢の係止バネ６４と切欠部６１一端に立ち上げた上ナット本体１０の底板受けバネ６３とにより左右の回転を阻止されて、図１１（ａ）に示すように下ナット本体２０のラチェット機構下方において下ナット本体２０のラチェット保持筒体３０の係合鍔体３３と上ナット本体１０の遊嵌用孔部１４で形成された遊嵌用凸部１５とが重複する。
【０１１６】
すなわち、六角ナットＡのボルト本体Ｂへの螺合締付け状態では、図１０（ａ）及び図１１（ａ）に示すように環状スプリング６０の付勢により上ナット本体１０は下ナット本体２０から所定の回転角度、具体的には六角ナットＡの中心角において約30°だけずれた状態となる。
【０１１７】
このような上下ナット本体１０、２０の六角面１１、２１同士の非符合状態におけるラチェット機構において、図１１（ａ）に示すように上ナット本体１０の天端から垂設したラチェット歯体係合ピン１３とラチェット歯体４０側面（係合段部４４）とが非接触状態となり、係合ピン５０の環状ギア５１とラチェット歯体４０とが係合し、係合ピン５０を介してラチェット保持筒体３０と一体の下ナット本体２０が弛緩回転を阻止された状態となる。
【０１１８】
このようにしてボルト本体Ｂと上下ナット本体２０は一体に固定されてボルト、ナットのロック状態が形成される。かかる状態では各上下ナット本体１０、２０は、約30°ずれている。
【０１１９】
このように本発明によれば、六角ナットＡをボルト本体Ｂに螺合する操作はラチェット機構の一方向回動によって容易に遂行することができるに対して、螺合操作が終端の締め付け終端位置に来るとラチェット機構の逆方向回動不能状態となり六角ナットＡはボルト本体Ｂから弛緩不能となって六角ナットＡの弛緩防止効果を果たす。
【０１２０】
他方、弛緩回転阻止状態を解除して六角ナットＡをボルト本体Ｂから弛緩するに際しては、図１０（ｂ）及び図１１（ｂ）に示すように上ナット本体１０を回転させて上ナット本体１０の六角面１１と下ナット本体２０の六角面２１とを符合状態とする。
【０１２１】
このような上下ナット本体１０、２０の六角面同士の符合状態におけるラチェット機構において、下ナット本体２０のラチェット歯体係合ピン１３はラチェット歯体側面（係合段部４４）に当接して係合ピン５０の環状ギア５１をラチェット歯体４０から解除し、係合ピン５０を介してラチェット保持筒体３０と一体の下ナット本体２０が弛緩方向へ回転可能となる。
【０１２２】
すなわち、六角ナットＡを弛緩しボルト本体Ｂから離脱する時にはレンチ等の治具を利用して上ナット本体１０の約30°ずれた分を元に戻してレンチ等の治具によって下ナット本体２０と共に回すと、ラチェット歯体係合ピン１３はラチェット歯体４０の解除方向にまわりラチェット歯体４０の噛合を解除することができる。このようにラチェット歯体係合ピン１３は上下ナット本体１０、２０をロックした後の解除操作時に作用する。
【０１２３】
以上、説明してきたように、本発明によれば上ナット本体と下ナット本体の組合せによりボルト本体に螺合する六角ナットを構成し、六角ナットは上下ナット本体に内蔵した緩み止め機構を介してボルト本体から弛緩しないように構成し、しかも、緩み止め機構は上下ナット本体の内部に設けたラチェット機構を中心として構成したことにより、上下ナット本体の締め込みの極限位置から六角ナットが弛緩することを防止できる効果がある。
【符号の説明】
【０１２４】
Ａ  六角ナット
Ｂ  ボルト本体
１０  上ナット本体
２０  下ナット本体
３０  ラチェット保持筒体
４０  ラチェット歯体
４１  爪本体
５０  係合ピン
５１  環状ギア
５６  係合突片
６０  環状スプリング
７２  係合横溝
【図１】
2020034017.tif 000003
【図２】
2020034017.tif 000004
【図３】
2020034017.tif 000005
【図４】
2020034017.tif 000006
【図５】
2020034017.tif 000007
【図６】
2020034017.tif 000008
【図７】
2020034017.tif 000009
【図８】
2020034017.tif 000010
【図９】
2020034017.tif 000011
【図１０】
2020034017.tif 000012
【図１１】
2020034017.tif 000013